(57)【要約】【課題】リアルタイムクロックのバックアップ電源である電池を電池切れになる前に交換することが可能な遊技機の提供を目的とする。【解決手段】本発明の遊技機１０は、主電源から受電して作動するリアルタイムクロック４０と、主電源が停止したときに、リアルタイムクロック４０のバックアップ電源になる電池５０と、電池５０の残量に係る報知を行う残量報知手段とを有する。これにより、電池５０の残量を知ることができ、電池切れになる前に電池５０を交換することが可能となる。【選択図】図１
2017225555.tif 000002
【特許請求の範囲】
【請求項１】
主電源から受電して作動するリアルタイムクロックと、
前記主電源が停止したときに、前記リアルタイムクロックのバックアップ電源になる電池と、
前記電池の残量に係る報知を行う残量報知手段とを備えた遊技機。
【請求項２】
前記残量報知手段は、前記電池の残量が予め定められた基準値を下回った場合に報知を行う請求項１に記載の遊技機。
【請求項３】
前記リアルタイムクロックは、受電電圧を検出する検出部と、前記検出部にて検出した電圧値を記憶する記憶部とを備え、
前記主電源がオフしているときに前記記憶部に記憶された前記電池の前記電圧値を前記主電源がオンしたときに読み取り、その電圧値が前記基準値を下回った場合に前記残量報知手段に報知を行わせる報知制御手段を備えた請求項２に記載の遊技機。
【請求項４】
前記電池の出力電圧を受け、その出力電圧が、前記基準値以上か未満かによってオンオフが切り替わる検出スイッチ回路を備え、前記検出スイッチ回路のオンオフに応じて前記残量報知手段の出力が切り替わる請求項２又は３に記載の遊技機。
【請求項５】
前記残量報知手段は、遊技機の前面に備えた表示部である請求項１乃至４の何れか１の請求項に記載の遊技機。
【請求項６】
前記残量報知手段は、発光素子である請求項１乃至５の何れか１の請求項に記載の遊技機。
【発明の詳細な説明】
【技術分野】
【０００１】
本発明は、リアルタイムクロックを備えた遊技機に関する。
【背景技術】
【０００２】
従来、この種の遊技機として、リアルタイムクロックのバックアップ電源として電池を備えたものが知られている（例えば、特許文献１参照）。
【先行技術文献】
【特許文献】
【０００３】
【特許文献１】特開２０１４−０９０８８３号公報（段落［０００７］）
【発明の概要】
【発明が解決しようとする課題】
【０００４】
しかしながら、上述した従来の遊技機では、電池の残量が分からず、知らないうちに電池が切れてしまうという問題が起こり得た。
【０００５】
本発明は、上記事情に鑑みてなされたもので、リアルタイムクロックのバックアップ電源である電池を電池切れになる前に交換することが可能な遊技機の提供を目的とする。
【課題を解決するための手段】
【０００６】
上記目的を達成するためになされた請求項１の発明は、主電源から受電して作動するリアルタイムクロックと、前記主電源が停止したときに、前記リアルタイムクロックのバックアップ電源になる電池と、前記電池の残量に係る報知を行う残量報知手段とを備えた遊技機である。
【０００７】
請求項２の発明は、前記残量報知手段は、前記電池の残量が予め定められた基準値を下回った場合に報知を行う請求項１に記載の遊技機である。
【０００８】
請求項３の発明は、前記リアルタイムクロックは、受電電圧を検出する検出部と、前記検出部にて検出した電圧値を記憶する記憶部とを備え、前記主電源がオフしているときに前記記憶部に記憶された前記電池の前記電圧値を、前記主電源がオンしたときに読み取り、その電圧値が前記基準値を下回った場合に前記残量報知手段に前記報知を行わせる報知制御手段を備えた請求項２に記載の遊技機である。
【０００９】
請求項４の発明は、前記電池の出力電圧を受け、その出力電圧が、前記基準値以上か未満かによってオンオフが切り替わる検出スイッチ回路を備え、前記検出スイッチ回路のオンオフに応じて前記残量報知手段の出力が切り替わる請求項２又は３に記載の遊技機である。
【００１０】
請求項５の発明は、前記残量報知手段は、遊技機の前面に備えた表示部である請求項１乃至４の何れか１の請求項に記載の遊技機である。
【００１１】
請求項６の発明は、前記残量報知手段は、発光素子である請求項１乃至５の何れか１の請求項に記載の遊技機である。
【発明の効果】
【００１２】
請求項１の遊技機によれば、電池の残量に係る報知が行われるので、電池の残量を知ることができ、電池切れになる前に電池を交換することが可能となる。
【００１３】
ここで、電池の残量に係る報知を、常時、行ってもよいし、請求項２の発明のように、電池の残量が予め定められた基準値を下回った場合に行う構成であってもよい。具体的には、請求項３の発明のように、リアルタイムクロックに受電電圧を検出する検出部と、検出部にて検出した電圧値を記憶する記憶部とを備え、主電源をオンしたときに報知制御手段によって主電源がオフしているときに記憶部に記憶された電池の電圧値を読み取り、その電圧値が基準値を下回った場合に残量報知手段に報知を行わせる構成とすればよい。
【００１４】
また、請求項４の発明のように、電池の出力電圧を受け、その出力電圧が、基準値以上か未満かによってオンオフが切り替わる検出スイッチ回路を備え、検出スイッチ回路のオンオフに応じて残量報知手段の出力が切り替わる構成とすれば、主電源がオン状態でないときにも、電池の残量が基準値を下回ったことを報知することが可能となる。
【００１５】
残量報知手段は、音であってもよいし、遊技機の前面に備えた表示部（請求項５の構成）や、発光素子であってもよい（請求項６の構成）。なお、表示部や発光素子による報知は、表示部に表示すること又は発光素子を点灯することで報知する構成であってもよいし、表示部から表示を消すこと又は発光素子を消灯することで報知する構成であってもよい。
【図面の簡単な説明】
【００１６】
【図１】本発明の一実施形態に係る遊技機のブロック図
【図２】第２実施形態に係る遊技機のサブ制御基板のブロック図
【発明を実施するための形態】
【００１７】
［第１実施形態］
以下、本発明の一実施形態を図１に基づいて説明する。本実施形態の遊技機１０は、パチンコ遊技機であって、遊技を統括的に制御する主制御基板（図示せず）と、主制御基板から受ける受信コマンドに基づいて遊技の演出に係る制御を行うサブ制御基板２０とを有している。サブ制御基板２０は、サブドライブ基板２１を介してＬＥＤ２２Ａを実装した電飾基板２２を制御すると共に、演出制御基板２３を介して遊技機１０の前面に備えた液晶パネル２４を制御する。
【００１８】
サブ制御基板２０には、ＣＰＵ３０と、リアルタイムクロック４０（以下、単に、「ＲＴＣ」と呼ぶこととする。）とが実装されている。ＲＴＣ４０によって計時された日時をＣＰＵ３０が取得して、遊技機１０が１日に払い出した賞球数を計算する際に利用したり、異常の履歴を作成する際に利用する。ＲＴＣ４０は、遊技機１０の主電源がオン状態のときには、主電源から電圧を受けて作動する一方、主電源がオフ状態のときには、電池５０から電圧を受けて作動する。
【００１９】
また、ＲＴＣ４０は、受電した電圧を検出する検出部４１と、記憶部４２とを備えている。そして、例えば、予め定められた時刻毎に検出部４１にて受電電圧の電圧値を検出し、記憶部４２に記憶する。本実施形態では、１日のうち、主電源がオフ状態になっている特定の時間（例えば、午前３時）においてのみ、検出部４１が作動してＲＴＣ４０が受電した電圧を検出し、記憶部４２に記憶する。即ち、毎日、主電源をオフしている間に電池５０の出力電圧が検出されて記憶部４２に記憶される。
【００２０】
ＣＰＵ３０は、主電源がオフ状態からオン状態になった立ち上げ時に限り、初期設定処理を実行する。そして、その初期設定処理において、ＲＴＣ４０の記憶部４２に記憶されている電池５０の出力電圧のデータをＣＰＵ３０が取り込む。次いで、ＣＰＵ３０は電池５０の出力電圧が予め定められた基準値以上か未満かを判別する。電池５０の出力電圧が基準値未満の場合には、液晶パネル２４にＲＴＣ４０の電池５０の残量が少ない旨のメッセージを表示する処理を行うと共に、遊技機１０の前面に備えたＬＥＤ２２Ａを点灯する処理を行う。これにより、ＲＴＣ４０の電池５０の残量が少ないことが報知され、管理者がＲＴＣ４０の電池５０の残量が少ないことを知る。一方、電圧値が基準値以上の場合には、報知に関する処理を行わずに、その他の処理に移る。
【００２１】
なお、本実施形態において、ＣＰＵ３０が本発明の「報知制御手段」に相当し、液晶パネル２４及びＬＥＤ２２Ａが本発明の「残量報知手段」に相当し、そのうちの液晶パネル２４が本発明の「表示部」に相当し、ＬＥＤ２２Ａが本発明の「発光素子」に相当する。上記実施形態では、電池５０の残量が基準値を下回った場合にのみ報知を行う構成になっていたが、主電源がオンされる度に、電池５０の残量を報知する構成であってもよい。また、電池５０の残量に係る報知は、液晶パネル２４とＬＥＤ２２Ａとの両方で行ってもよいし、液晶パネル２４及びＬＥＤ２２Ａの何れか一方で行ってもよい。さらに、上記実施形態では、遊技機１０の前面側に備えた液晶パネル２４及びＬＥＤ２２Ａを用いて報知する構成を例示したが、遊技機１０の前面側からは見えない、例えば、サブ制御基板２０に実装されたＬＥＤにて報知する構成であってもよい。
【００２２】
上述したように、本実施形態の遊技機１０では、ＲＴＣ４０のバックアップ電源である電池５０の残量を液晶パネル２４及びＬＥＤ２２Ａにて報知するので、電池の残量を知ることができ、電池切れになる前に電池５０を交換することが可能となる。
【００２３】
［第２実施形態］
図２に示すように、本実施形態のサブ制御基板２０Ｖは、ＲＴＣ４０と電池５０との共通接続部分に、例えば、リセットＩＣを主要部とした検出スイッチ回路６０が接続されている。検出スイッチ回路６０は、電池５０の出力電圧が、基準値以上か未満かによってオンオフが切り替わり、電池５０の出力電圧が基準値未満の場合に検出スイッチ回路６０がオン状態となり、ＬＥＤ６１を点灯させる。一方、電池５０の出力電圧が基準値以上の場合には、検出スイッチ回路６０がオフ状態に維持され、ＬＥＤ６１が点灯しない。なお、上記実施形態では、検出スイッチ回路６０がオン状態のときにＬＥＤ６１が点灯し、オフ状態のときに点灯しない構成になっていたが、検出スイッチ回路６０がオン状態のときにＬＥＤ６１が点灯せず、オフ状態のときにＬＥＤ６１が点灯する構成であってもよい。
【００２４】
本実施形態の遊技機１０の構成とすれば、主電源をオン状態としなくても電池５０の残量を報知することができるので、主電源をオン状態とする前に電池５０を交換することが可能となる。
【００２５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００２６】
（１）上記実施形態では、遊技機１０としてパチンコ遊技機を例示したが、ＲＴＣ４０を備えた遊技機１０であれば、例えば、スロットマシンであってもよい。
【００２７】
（２）上記実施形態では、残量報知手段として、液晶パネル２４による表示やＬＥＤ２２Ａによる発光を例示したが、例えば、スピーカーによる効果音であってもよい。
【００２８】
（３）上記実施形態では、電池５０の残量に関する報知を、遊技機１０の液晶パネル２４及びＬＥＤ２２Ａで行う構成になっていたが、例えば、遊技ホールの管理室に設けられた表示装置に報知信号を出力して、表示装置を点灯させて電池５０の残量に係る報知を行う構成であってもよい。
【符号の説明】
【００２９】
１０    遊技機
２４    液晶パネル（残量報知手段、表示部）
２２Ａ，６１    ＬＥＤ（残量報知手段、発光素子）
３０    ＣＰＵ
４０    リアルタイムクロック
４１    検出部
４２    記憶部
５０    電池
６０    検出スイッチ回路
【図１】
2017225555.tif 000003
【図２】
2017225555.tif 000004
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
リアルタイムクロックに主電源とバックアップ用電池とが共通接続されて、前記主電源がオンしている間は前記リアルタイムクロックが前記主電源から受電し、前記主電源がオフしている間は前記リアルタイムクロックが前記バックアップ用電池から受電する遊技機において、
前記主電源と前記バックアップ用電池との間に設けられて、前記主電源から前記バックアップ用電池への通電を規制するダイオードと、
前記ダイオードのアノード側から前記バックアップ用電池の出力電圧を取り込み、その出力電圧が基準値を下回ったか否かを判別して報知する検出報知部と、を備える遊技機。
【手続補正２】
【補正対象書類名】明細書
【補正対象項目名】０００６
【補正方法】変更
【補正の内容】
【０００６】
上記目的を達成するためになされた請求項１の発明は、リアルタイムクロックに主電源とバックアップ用電池とが共通接続されて、前記主電源がオンしている間は前記リアルタイムクロックが前記主電源から受電し、前記主電源がオフしている間は前記リアルタイムクロックが前記バックアップ用電池から受電する遊技機において、前記主電源と前記バックアップ用電池との間に設けられて、前記主電源から前記バックアップ用電池への通電を規制するダイオードと、前記ダイオードのアノード側から前記バックアップ用電池の出力電圧を取り込み、その出力電圧が基準値を下回ったか否かを判別して報知する検出報知部と、を備える遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００２８
【補正方法】変更
【補正の内容】
【００２８】
（３）上記実施形態では、電池５０の残量に関する報知を、遊技機１０の液晶パネル２４及びＬＥＤ２２Ａで行う構成になっていたが、例えば、遊技ホールの管理室に設けられた表示装置に報知信号を出力して、表示装置を点灯させて電池５０の残量に係る報知を行う構成であってもよい。
なお、上記実施形態には、以下の[特徴１]〜[特徴６]が含まれている。
[特徴１]
主電源から受電して作動するリアルタイムクロックと、
前記主電源が停止したときに、前記リアルタイムクロックのバックアップ電源になる電池と、
前記電池の残量に係る報知を行う残量報知手段とを備えた遊技機。
[特徴２]
前記残量報知手段は、前記電池の残量が予め定められた基準値を下回った場合に報知を行う特徴１に記載の遊技機。
[特徴３]
前記リアルタイムクロックは、受電電圧を検出する検出部と、前記検出部にて検出した電圧値を記憶する記憶部とを備え、
前記主電源がオフしているときに前記記憶部に記憶された前記電池の前記電圧値を前記主電源がオンしたときに読み取り、その電圧値が前記基準値を下回った場合に前記残量報知手段に報知を行わせる報知制御手段を備えた特徴２に記載の遊技機。
[特徴４]
前記電池の出力電圧を受け、その出力電圧が、前記基準値以上か未満かによってオンオフが切り替わる検出スイッチ回路を備え、前記検出スイッチ回路のオンオフに応じて前記残量報知手段の出力が切り替わる特徴２又は３に記載の遊技機。
[特徴５]
前記残量報知手段は、遊技機の前面に備えた表示部である特徴１乃至４の何れか１に記載の遊技機。
[特徴６]
前記残量報知手段は、発光素子である特徴１乃至５の何れか１に記載の遊技機。
特徴１の遊技機によれば、電池の残量に係る報知が行われるので、電池の残量を知ることができ、電池切れになる前に電池を交換することが可能となる。
ここで、電池の残量に係る報知を、常時、行ってもよいし、特徴２の遊技機のように、電池の残量が予め定められた基準値を下回った場合に行う構成であってもよい。具体的には、特徴３の遊技機のように、リアルタイムクロックに受電電圧を検出する検出部と、検出部にて検出した電圧値を記憶する記憶部とを備え、主電源をオンしたときに報知制御手段によって主電源がオフしているときに記憶部に記憶された電池の電圧値を読み取り、その電圧値が基準値を下回った場合に残量報知手段に報知を行わせる構成とすればよい。
また、特徴４の遊技機のように、電池の出力電圧を受け、その出力電圧が、基準値以上か未満かによってオンオフが切り替わる検出スイッチ回路を備え、検出スイッチ回路のオンオフに応じて残量報知手段の出力が切り替わる構成とすれば、主電源がオン状態でないときにも、電池の残量が基準値を下回ったことを報知することが可能となる。
残量報知手段は、音であってもよいし、遊技機の前面に備えた表示部（特徴５）や、発光素子であってもよい（特徴６）。なお、表示部や発光素子による報知は、表示部に表示すること又は発光素子を点灯することで報知する構成であってもよいし、表示部から表示を消すこと又は発光素子を消灯することで報知する構成であってもよい。